(57)【要約】本発明は、パッド部と、端部を前記パッド部の端縁に取り付けた細長巻き付け部と、を備える異種用途包帯を提供し、前記パッド部は、外側層、少なくとも１つの吸収層、ほぼ不浸透性の材料から形成され、前記パッド部の残部に容易に取り外し可能に取り付けた内側層を有する。【選択図】図１Ａ
2011526528.tif 000002
【特許請求の範囲】
【請求項１】
異種用途包帯において、
パッド部と、
端部を前記パッド部の端縁に取り付けた細長巻き付け部と、
を備え、
前記パッド部は、外側層、少なくとも１つの吸収層、ほぼ不浸透性の材料から形成し、前記パッド部の残部に容易に取り外し可能に取り付けた内側層を有する構成とした、
異種用途包帯。
【請求項２】
請求項１に記載の異種用途包帯において、さらに、前記細長巻き付け部の巻き付け方向の変更を容易にするようにした１つまたは複数の巻き付け素子を備える、異種用途包帯。
【請求項３】
請求項１に記載の異種用途包帯において、さらに、前記パッド部のコーナーに位置する１つの巻き付け素子を備え、前記巻き付け素子は、前記細長巻き付け部の巻き付け方向の変更を容易にするようにした、異種用途包帯。
【請求項４】
請求項１に記載の異種用途包帯において、さらに、前記パッド部の互いに対向する２つのコーナーに位置する２つの巻き付け素子を備え、前記巻き付け素子は、前記細長巻き付け部の巻き付け方向の変更を容易にするようにした、異種用途包帯。
【請求項５】
請求項１に記載の異種用途包帯において、さらに、創傷領域への医療物質の塗布を容易にするようにした開口を備える、異種用途包帯。
【請求項６】
請求項５に記載の異種用途包帯において、前記医療物質は、生理食塩水、水、薬剤、またはその任意の組み合わせを含む、異種用途包帯。
【請求項７】
請求項６に記載の異種用途包帯において、前記薬剤は、鎮痛剤、抗炎症剤、抗生物質、防腐剤、またはその任意の組み合わせを含む、異種用途包帯。
【請求項８】
請求項１に記載の異種用途包帯において、前記内側層は、複数の縫着ポイントによって前記パッド部の残部に取り付ける、異種用途包帯。
【請求項９】
請求項８に記載の異種用途包帯において、前記縫着ポイントは、前記パッド部の縫い目近傍内側に延在する、異種用途包帯。
【請求項１０】
請求項１に記載の異種用途包帯において、前記内側層は、複数の接着ポイントによって前記パッド部の残部に取り付ける、異種用途包帯。
【請求項１１】
請求項１に記載の異種用途包帯において、前記少なくとも１つの吸収層は、不織材料で形成する、異種用途包帯。
【請求項１２】
請求項１に記載の異種用途包帯において、前記内側層は、プラスチックを有する、異種用途包帯。
【請求項１３】
請求項１に記載の異種用途包帯において、前記内側層は、シリコンを含む、異種用途包帯。
【請求項１４】
請求項１に記載の異種用途包帯において、前記パッド部は、さらに前記外側層と前記少なくとも１つの吸収層との間に血液分散バリア層を有する、異種用途包帯。
【請求項１５】
請求項１に記載の異種用途包帯において、前記パッド部は、さらに、前記少なくとも１つの吸収層と前記内側層との間に非粘着性層を有する、異種用途包帯。
【請求項１６】
請求項１に記載の異種用途包帯において、さらに、前記細長巻き付け部をロール状に巻回した状態または折り畳んだ状態で保持するようにする保持デバイスであって、使用者が前記細長巻き付け部の残りの部分を全体的に巻回ロールから繰り出すまたは折り畳みを展開することなく、前記細長巻き付け部を徐々に巻回ロールから繰り出すまたは折り畳みを展開することを可能にするよう構成した、該保持デバイスを備える異種用途包帯。
【発明の詳細な説明】
【技術分野】
【０００１】
本発明は、一般に包帯およびその使用方法に関する。
【背景技術】
【０００２】
様々なタイプの包帯が文献および市場で知られている。例えば、当業界の最新技術と考えられる、特許文献１〜１５（米国特許第３４，１１２号、同第７２１，１６２号、同第２，１１３，５３４号、同第２，４８０，４３０号、同第２，６４６，０３４号、同第３，００５，４５４号、同第３，０５０，０６４号、同第３，５３６，０６８号、同第４，０４８，９９１号、同第４，１４９，５４０号、同第４，２４３，０２８号、同第４，３４５，５９１号、同第４，８０２，６６７号、同第５，２３４，４５９号、同第５，６２８，７２３号）がある。
【０００３】
特に、包帯の用途は、露出した創傷を保護し血液または他の分泌物を吸収することである。包帯は、例えば軍事関係者、警察、救急隊、ハイカー、キャンパー等が携行使用できるように包装され、また、例えばクリニック、病院、工場、会社、家庭で使用される応急処置キットの一部を構成することもある。
【０００４】
包帯、とりわけ大型の包帯は、占有体積に基因して、特に衛生兵、医師、または他の応急処置看護者がこれらを携行するときは、多量に利用できないことがよくある。
【先行技術文献】
【特許文献】
【０００５】
【特許文献１】米国特許第      ３４，１１２号明細書
【特許文献２】米国特許第    ７２１，１６２号明細書
【特許文献３】米国特許第２，１１３，５３４号明細書
【特許文献４】米国特許第２，４８０，４３０号明細書
【特許文献５】米国特許第２，６４６，０３４号明細書
【特許文献６】米国特許第３，００５，４５４号明細書
【特許文献７】米国特許第３，０５０，０６４号明細書
【特許文献８】米国特許第３，５３６，０６８号明細書
【特許文献９】米国特許第４，０４８，９９１号明細書
【特許文献１０】米国特許第４，１４９，５４０号明細書
【特許文献１１】米国特許第４，２４３，０２８号明細書
【特許文献１２】米国特許第４，３４５，５９１号明細書
【特許文献１３】米国特許第４，８０２，６６７号明細書
【特許文献１４】米国特許第５，２３４，４５９号明細書
【特許文献１５】米国特許第５，６２８，７２３号明細書
【発明の概要】
【発明が解決しようとする課題】
【０００６】
したがって、包帯、とりわけ大型の包帯に関連する問題の１つは、症状または傷害毎に異なる治療手順（プロトコル）を必要とすることである。傷害、例えばやけど、及び内臓露出を伴う腹部外傷では、創傷部内の湿気を包帯によって保つことが必要となるが、切断のような他の傷害でも同じタイプの包帯によって血液および分泌物を吸収することが必要となる。大型の包帯に関連する別の問題としては、同じタイプの包帯を、例えば患者に包帯を巻き付ける必要がある腹部の処置にも、腹部より相当細い手足の処置にも使用していることがある。
【０００７】
したがって、当業界では改良された包帯、特に改良された大型の包帯が必要とされている。
【課題を解決するための手段】
【０００８】
本願の「課題を解決するための手段」の欄は、本明細書に開示する主題の概要を「要約書」よりも詳しく説明するための欄であって、本発明がこの欄に記載した特徴に限定されるものと解釈すべきではない。
【０００９】
本発明のいくつかの実施形態は、一般に複数の異種用途を有する改良された包帯に関するものである。
【００１０】
そこで、本発明のいくつかの実施形態では、パッド部と、端部を前記パッド部の端縁に取り付けた細長巻き付け部と、を備えた異種用途包帯（disparate use bandage）を提供する。前記パッド部は、外側層、少なくとも１つの吸収層、ほぼ不浸透性の材料から形成され、前記パッド部の残部に容易に取り外し可能に取り付けた内側層を有する構成とする。
【００１１】
前記内側層は、複数（２つ以上）のポイント（例えば、縫着、接着、溶着、ステープル留め、ピン留めのポイント）において前記パッド部の残部に取り付けるのが好ましい。いくつかの実施形態によれば、前記縫着ポイントは、前記パッド部の縫い目の近傍内側に延在させることができる。
【００１２】
好ましい一実施形態では、前記少なくとも１つの吸収層は不織材料で形成する。
【００１３】
前記内側層は、プラスチックを有する構成とすると好ましい。付加的または代替的に、前記内側層は、シリコンを有する構成とする。前記内側層は、前記パッド部より小さくすることも、前記パッド部とほぼ同一サイズとすることも、前記パッド部より大きくすることもできる。いくつかの実施形態によれば、前記内側層は、前記包帯（例えば前記パッド部）が体内組織（やけど、腸、他の任意の生体組織等）に付着するのを防止するようにする。
【００１４】
好ましい一実施形態では、前記パッド部は、さらに前記外側層と前記少なくとも１つの吸収層との間に血液分散バリア層を有する構成とすることができる。
【００１５】
前記パッド部は、さらに前記少なくとも１つの吸収層と前記内側層との間に無菌の（sterile）非粘着性層を有する構成とすると好ましい。
【００１６】
いくつかの実施形態によれば、前記異種用途包帯は、さらに、前記細長巻き付け部の巻き付け方向の変更を容易にするようにした１つまたは複数の巻き付け素子を備えることができる。
【００１７】
いくつかの実施形態によれば、前記異種用途包帯は、さらに、創傷部への医療物質の塗布を容易にするようにした開口を備えることができる。前記医療物質は、生理食塩水、水、薬剤、またはその任意の組み合わせを含むことができる。前記薬剤は、鎮痛剤、抗炎症剤、抗生物質、防腐剤、またはその任意の組み合わせを含むことができる。
【００１８】
いくつかの実施形態によれば、前記異種用途包帯は、さらに、前記細長巻き付け部を巻いた状態または折り畳んだ状態で保持するようにした保持デバイスを備えることができ、前記保持デバイスは、使用者が前記細長巻き付け部の残りの部分を全体的に巻回ロールから繰り出すまたは折り畳み状態から展開することなく、前記細長巻き付け部を徐々にロール繰り出しまたは折り畳み展開することを可能にすることができる。
【００１９】
以下では添付図面を参照して、本発明の実施形態を例示する各実施例について説明する。各図において、２つ以上の図面に示す同一の構造、要素または部分には、それらを図示したすべての図面で同じ参照符号を付している。各図に示す構成要素および特徴部の寸法は、図面全体を見やすくするために便宜上選択したものであり、必ずしも縮尺どおりに描いているわけではない。以下、各図を一覧表記で説明する。
【図面の簡単な説明】
【００２０】
【図１Ａ】本発明の一実施形態により構成しまた運用可能な、異種用途包帯の第１用途向けの状態における、簡略化して示す説明図である。
【図１Ｂ】本発明の一実施形態により構成しまた運用可能な、異種用途包帯の第１用途向けの状態における、簡略して示す断面図である。
【図２Ａ】図１Ａおよび図１Ｂに示した包帯の第２用途向けの状態における、簡略化して示す説明図である。
【図２Ｂ】図１Ａおよび図１Ｂに示した包帯の第２用途向けの状態における、簡略化して示す断面図である。
【図３】図１Ａおよび図１Ｂに示した包帯の使用例を示す簡略化して示す説明図である。
【図４】図２Ａおよび図２Ｂの包帯の使用例を示す簡略化して示す説明図である。
【図５Ａ】本発明の一実施形態による包帯およびその使用例を示す簡略化して示す説明図である。
【図５Ｂ】本発明の一実施形態による包帯およびその使用例を示す簡略化して示す説明図である。
【図５Ｃ】本発明の一実施形態による包帯およびその使用例を示す簡略化して示す説明図である。
【図５Ｄ】本発明の一実施形態による包帯およびその使用例を示す簡略化して示す説明図である。
【図６Ａ】本発明の実施形態により構成しまた運用可能な包帯を示す説明図である。
【図６Ｂ】本発明の実施形態により構成しまた運用可能な包帯を示す説明図である。
【図７】本発明の実施形態により構成しまた運用可能な包帯を示す説明図である。
【図８Ａ】本発明の実施形態による、ロール状に巻回した状態に保持した細長巻き付け部（ウェブ部）の断面図である。
【図８Ｂ】本発明の実施形態による、折り畳んだ状態に保持した細長巻き付け部（ウェブ部）の断面図である。
【発明を実施するための形態】
【００２１】
以下に、図１Ａおよび図１Ｂにつき説明する。図１Ａおよび図１Ｂは、本発明の好ましい一実施形態により構成しまた運用可能な、異種用途包帯の第１用途向けの状態における簡略化して示す説明図および断面図（IB−IB線に沿う）である。図１Ａおよび図１Ｂに示すように、包帯は、ほぼ正方形（矩形または他の任意の形状とすることもできる）のパッド部１００と、それ自体の一方の端部１０４をパッド部１００の端縁１０６に取り付けた細長巻き付け部１０２（ウェブ部と称する場合もある）と、を備える。
【００２２】
パッド部１００は好適には３０ｃｍ×３０ｃｍの寸法とする。パッド部１００は、好ましくは細長巻き付け部と同様の層である外側レイヤ１１０と、典型的には不織綿による１つまたはそれ以上（すなわち複数）の層である吸収レイヤ１１２と、プラスチックもしくはシリコン、または他の任意の適切な材料による、ほぼ不浸透性の非粘着性材料で構成した内側レイヤ１１３と、を備えると好適である。パッド部１００は、さらに、好ましくはプラスチック製の血液分散バリア層（blood dispersing barrier layer）１１４を外側レイヤ１１０と吸収レイヤ１１２との間に有することもできる。パッド部１００は、さらに無菌の非粘着性レイヤ１１５を有し、この非粘着性レイヤ１１５は、好ましくはパッド部１００に対して付着させた不織布の層で形成し、吸収レイヤ１１２と内側レイヤ１１３との間に配置することができる。
【００２３】
細長巻き付け部１０２は、外側レイヤ１１０と一体に形成できることを理解されたい。
【００２４】
本発明の特別な特徴は、内側レイヤ１１３をパッド部１００の残部に容易に取り外し可能に、例えばパッド部１００の端縁１１８および１２０に隣接する限定数の縫着ポイント１１６で、取り付けることである。内側レイヤ１１３は、パッド部１００に対して容易に取り外し可能な他の手法により、例えば接着、溶着（例えば熱溶着）、ステープル留め、または他の任意の手法によってパッド部１００に取り付けることもできる。
【００２５】
好適には、縫着ポイント１１６のような取り付けポイントは、図示のように、端縁１１８，１２０に沿う継ぎ目１２２，１２４近傍内側に延在させる。
【００２６】
次に、図２Ａおよび図２Ｂにつき説明する。図２Ａおよび図２Ｂは、図１Ａおよび図１Ｂに示した包帯の第２用途向けの状態における、簡略化して示す説明図および断面図（IIB-IIB線に沿う）である。図２Ａおよび図２Ｂから分かるように、この場合、不浸透性の内側レイヤ１１３は、パッド部１００の残部の縫着ポイント１１６から事前に引き剥がされているので存在しない。
【００２７】
図３は、腹部外傷の応急処置を対象とする、図１Ａおよび図１Ｂに示した用途向けの状態における本発明の包帯の好ましい使用例を示し、この場合、不浸透性レイヤが適切な創傷治療に必須である。なお、不浸透性の内側レイヤ１１３を有する包帯は、内部の湿気保持を必要とする場合の創傷治療、例えば内臓（腸等）の露出及びやけどに利用されることが好ましい。内側レイヤ１１３は、非粘着性によっても特徴付けられる。不浸透性の内側レイヤ１１３は、この特性を有する包帯が、例えばやけど内臓露出の場合の適切な創傷治療を促進するのに必要とされる状況では、使用前に包帯から取り外さないでおくことが好ましい。
【００２８】
図４は、重傷の応急処置を対象とする、図２Ａおよび図２Ｂに示した第２用途向け状態における本発明の包帯の好ましい使用例を示し、例えば爆発等による手足切断および広い表面積に及ぶ外傷性創傷に適用する。この場合は、不浸透性レイヤが存在しないことが重要である。
【００２９】
なお、不浸透性の内側レイヤ１１３を取り外した後の包帯は、包帯による吸湿が必要となる場合の創傷治療に利用されることが好ましい。不浸透性の内側レイヤ１１３は、この特性を有する包帯が適切な創傷治療を促進することが必要な状況では、使用前に包帯から取り外すことが好ましい。
【００３０】
本発明のいくつかの実施形態による包帯は、広い表面積を覆うことが創傷領域および周辺領域に適用するのに必要である状況で、いずれの用途にも使用できることを理解されたい。
【００３１】
図３および図４から分かるように、本発明の包帯は、付き添いの医療専門家が適切な用途向けに施すことができる異種用途包帯を提供する。
【００３２】
次に、図５Ａ〜図５Ｄにつき説明する。図５Ａ〜図５Ｄは、それぞれ本発明の一実施形態による包帯およびその使用例を示す簡略化した説明図である。図５Ａは、腹部外傷によって腸が露出した患者の処置を要する部分を示す簡略図である。図５Ｂは、創傷部を覆い、患者の周囲に第１方向（破線矢印）に巻き付ける包帯５００の簡略化した説明図である。包帯５００は、創傷部を覆うとともに創傷部内の湿気を保つようにした内側レイヤ（図示せず）を含むパッド部５０５を有し、この内側レイヤ（図１Ｂの内側レイヤ１１３と同様のものとすることができる）は、創傷部内の湿気を保つようにする。パッド部５０５は、細長巻き付け部５０２に連続する（取り付けることもできる）外側レイヤ５１０も有する。細長巻き付け部５０２（ウェブ部と称する場合もある）は、患者の体周りに巻き付けるのを容易にする弾性材料で作成することができる。包帯５００はさらに、図中ではパッド部５０５の上隅に位置する巻き付け素子５５０を有する。巻き付け素子５５０は、パッド部５０５の下隅や他の場所に配置することもできる。また、包帯５００のような包帯は、例えばパッド部５０５の隣り合う二隅またはパッド部５０５の対向する二隅に、巻き付け素子５５０のような巻き付け素子を２つ以上設けることもできる。巻き付け素子５５０は、細長巻き付け部５０２を患者の体周りまたは創傷器官の周りに第１方向に巻き付けるときに（図５Ｃ参照）、細長巻き付け部５０２が巻き付け素子５５０の空間５３４に入ることを可能にするようにした間隙５５２を有する。ここで、細長巻き付け部５０２は、患者の体周りまたは創傷器官の周りに第２方向に巻き付ける（図５Ｄ参照）。第１方向の巻き付けに続いて、巻き付け素子５５０を使用して第２方向の巻き付けを行うことにより「巻き付け回数」が「節約」され、したがって、特に腹部等の大きな器官傷害ではウェブ部材料だけでなく時間も節約され、負傷した患者の不都合も軽減される。
【００３３】
本発明のいくつかの実施形態によれば、巻き付け素子は、包帯の巻き付けを容易にするのに適した任意の形状または形態とすることができる。次に、図６Ａおよび図６Ｂにつき説明する。図６Ａおよび図６Ｂは、それぞれ本発明の他の実施形態により構成しまた運用可能な包帯６００および包帯１６００を示す。図６Ａの包帯６００は、パッド部６０５と、細長巻き付け部（ウェブ部）６０４と、巻き付け素子６５０と、を有する。巻き付け素子６５０は、構造用プラスチックのような可撓性、弾性のある材料で形成することが好ましく、基部６２２に対してほぼ垂直に固定的に取り付けた弓形部分６２０を有することが好ましい。２つのアーチ形上翼部６２４は、各丸みを付けた接合部６２６において弓形部分６２０に接合する。弓形部分６２０および上翼部６２４は、巻き付け素子を形成する。巻き付け素子６５０は、上翼部６２４および弓形部分６２０がパッド部６０５から離れる方向に湾曲するように、パッド部６０５に取り付ける。随意に、各丸みを付けた接合部６２６の近傍にアーチ形補強リブ６２８を設けることもできる。上翼部６２４は、間隙６５２によって互いに分離された先端６２９を面取りすることが好ましい。上翼部６２４と弓形部分６２０の間に空間６３４を画定する。
【００３４】
図５Ａ〜図５Ｄに示した場合と同様に、細長巻き付け部（ウェブ部）６０４を、上翼部６２４に押し付け、その結果間隙６５２を通って空間６３４内に押し込まれる。上翼部６２４の弾性は、細長巻き付け部（ウェブ部）６０４を間隙６５２に通すことを容易にする。また、面取りした先端６２９も、細長巻き付け部（ウェブ部）６０４を間隙６５２に通すことを容易にする。巻き付け素子の他の随意的な形状は、国際特許出願公開第ＷＯ９７／２９６８９号（Grau Bernard）で確認することができる。この国際特許出願公開の開示内容全体を参照により本明細書に援用する。
【００３５】
図６Ｂの包帯１６００は、パッド部１６０５と、細長巻き付け部（ウェブ部）１６０４と、２個の巻き付け素子１６５０，１６６０と、を有する。２つの巻き付け素子１６５０，１６６０は、この実施形態では同一であるが、互いに異なるものとすることができる。巻き付け素子１６５０，１６６０は、パッド部１６０５の２個の両側に配設し、細長巻き付け部（ウェブ部）１６０４の巻き付けを容易にするようにしてある。巻き付け素子１６５０は、弓形部分１６２０と、基部１６２２と、弓形部分１６２０と丸みを付けた接合部１６２６において接合される２つのアーチ形上翼部１６２４と、アーチ形補強用リブ１６２８と、間隙１６５２と、空間１６３４と、面取りした先端１６２９と、を有する。これらは、それぞれ構造および機能性が、図６Ａの巻き付け素子６５０の弓形部分６２０、基部６２２、弓形部分６２０と丸みを付けた接合部６２６において接合される２つのアーチ形上翼部６２４、アーチ形補強用リブ６２８、間隙６５２、空間６３４、および面取りした先端６２９と同様である。
【００３６】
次に、図７につき説明する。図７は、本発明の他の実施形態により構成し、また運用可能な包帯７００を示す。包帯７００はパッド部７０５を有し、このパッド部７０５は、１つ（または複数）の吸収層と、随意的な内側層と、血液分散バリア層（ここでは図示を省略するが、図１Ｂまたは図２Ｂに記載した各層と同様であってよい）を有する。パッド部７０５は、細長巻き付け部７０２に連続する（取り付けることもできる）外側層７１０も有する。パッド部７０５は、さらに、液体（生理食塩水または水等）および／または薬剤（鎮痛剤、抗炎症剤、抗生物質、防腐剤、他の任意の薬剤等）を創傷組織に直接塗布することを容易にするようにしたアーチ形開口７６０を有する。例えば、腹部外傷によって腸が露出した場合は、条件および情況が許す限り、露出した腸を生理食塩水または水で濡らし、随意に創傷に薬剤を局所的に塗布することが推奨され得る。
【００３７】
本発明の他の実施形態によれば、本明細書に開示する包帯の細長巻き付け部（ウェブ部）は、１つまたは複数の「保持デバイス」によって、ロール状に巻回した状態または折り畳んだ状態に保持するとともに、使用者（包帯を施す人、介護者、および／または創傷した患者）は、必要に応じて、例えばウェブの残りの部分自体が巻回ロールから繰り出されるまたは折り畳み状態が展開されて地面に落ちることがないよう、容易かつ徐々にウェブを順次に、例えばステップ・バイ・ステップでロール繰り出しまたは展開することができるようにする。
【００３８】
次に、図８Ａおよび図８Ｂにつき説明する。図８Ａおよび図８Ｂは、それぞれ本発明の実施形態による包帯をロール状に巻回した状態の細長巻き付け部（ウェブ部）８００、および折り畳んだ状態の細長巻き付け部（ウェブ部）８２０の断面図である。ロールとして巻回した状態の細長巻き付け部８００は、保持デバイス８０２によって保持し、折り畳んだ状態の細長巻き付け部８２０は、保持デバイス８２２によって保持する。
【００３９】
保持デバイス８０２は、細長素子８０４と、（Ｖ字状の）頂端部素子８０６と、頂端部素子８０６とは反対側の（同じくＶ字状の）底端部素子８０８と、を有する。保持デバイス８０２は、ロール状に巻回した状態の細長巻き付け部８００の２枚以上の条片を貫通し、また巻いた状態の細長巻き付け部８００を釈放可能に保持するよう構成する。この保持デバイスは、さらに、包帯の使用者がこの保持デバイスを取り外すことなく、細長巻き付け部８００を徐々に巻回ロールから繰り出すことを可能にし、この繰り出しは、他のパネルを保持したまま、細長巻き付け部８００の１つまたは複数の条片を頂端部素子８０６の上方に引き上げることによって行う。
【００４０】
保持デバイス８２２は、細長素子８２４と、（ボール状の）頂端部素子８２６と、頂端部素子８２６とは反対側の（同じくボール状の）底端部素子８２８と、を有する。保持デバイス８２２は、折り畳んだ状態の細長巻き付け部８２０の２つ以上の条片に貫通するとともに、折り畳んだ状態の細長巻き付け部８２０を釈放可能に保持するよう構成する。このデバイスは、さらに、包帯の使用者がこれを取り外すことなく、細長巻き付け部８２０を徐々に折り畳みを展開することを可能にし、この展開は、他のパネルを保持したまま細長巻き付け部８２０の１つまたは複数の条片を頂端部素子８２６の上方に引き上げることによって行う。
【００４１】
この保持デバイスは、綿、合成繊維、天然繊維、プラスチック、ナイロン、シリコン、または他の任意の適切な材料で形成することができる。あり得る保持デバイスに関するより多くの詳細は、イスラエル特許出願第１９７８５４号で確認することができ（このイスラエル特許出願の開示内容全体を参照することにより本明細書に付記されたものとする）。
【００４２】
本明細書および特許請求の範囲に記載する用語「備える／有する（comprise）」、「設ける／有する（include）」および「有する（have）」ならびにそれらの活用形は、各用語に関連するリスト内の構成要素に必ずしも限定されるわけではない。
【００４３】
本発明は、具体的に図示し上述した内容に限定されるものではないことは当業者には理解されるだろう。そうではなく、本発明の範囲には、上述した様々な特徴のコンビネーションおよびサブコンビネーションと共に、当業者が上述の説明を読めば想到するはずの、従来技術に存在しなかった変更例および改変例も含まれる。
【００４４】
以上、本発明の諸実施形態に関する詳細な説明を使用して本発明の説明を行ってきたが、上記の説明は例示のためであり、本発明の範囲を限定するものではない。本明細書に記載した実施形態は様々な特徴を備える可能性があるが、必ずしもそれらすべての特徴が本発明のすべての実施形態で必要とされるわけではない。本発明の実施形態の中には、それらの特徴またはそれらの可能な組み合わせの一部しか利用しないものもある。当業者なら、本明細書に記載した本発明の実施形態の変更例だけでなく、各実施形態において言及した特徴の組み合わせと異なる組み合わせを有する実施形態にも想到するはずである。本発明の範囲は、特許請求の範囲によって限定されるものであり、各請求項は、これらのすべての変更例および組み合わせを含むものと解釈すべきである。
【図１Ａ】
2011526528.tif 000003
【図１Ｂ】
2011526528.tif 000004
【図２Ａ】
2011526528.tif 000005
【図２Ｂ】
2011526528.tif 000006
【図３】
2011526528.tif 000007
【図４】
2011526528.tif 000008
【図５Ａ】
2011526528.tif 000009
【図５Ｂ】
2011526528.tif 000010
【図５Ｃ】
2011526528.tif 000011
【図５Ｄ】
2011526528.tif 000012
【図６Ａ】
2011526528.tif 000013
【図６Ｂ】
2011526528.tif 000014
【図７】
2011526528.tif 000015
【図８Ａ】
2011526528.tif 000016
【図８Ｂ】
2011526528.tif 000017
【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
異種用途包帯において、
パッド部と、
端部を前記パッド部の端縁に取り付けた細長巻き付け部と、
を備え、
前記パッド部は、外側層、少なくとも１つの吸収層、ほぼ不浸透性の材料から形成し、前記パッド部の残部に容易に取り外し可能に取り付けた内側層を有する構成とし、
前記内側層は、創傷部を覆いかつ前記異種用途包帯が前記創傷部に付着するのを防止する構成とした、
異種用途包帯。
【請求項２】
請求項１に記載の異種用途包帯において、さらに、前記細長巻き付け部の巻き付け方向の変更を容易にするようにした１つまたは複数の巻き付け素子を備える、異種用途包帯。
【請求項３】
請求項１に記載の異種用途包帯において、さらに、前記パッド部のコーナーに位置する１つの巻き付け素子を備え、前記巻き付け素子は、前記細長巻き付け部の巻き付け方向の変更を容易にするようにした、異種用途包帯。
【請求項４】
請求項１に記載の異種用途包帯において、さらに、前記パッド部の互いに対向する２つのコーナーに位置する２つの巻き付け素子を備え、前記巻き付け素子は、前記細長巻き付け部の巻き付け方向の変更を容易にするようにした、異種用途包帯。
【請求項５】
請求項１に記載の異種用途包帯において、さらに、創傷領域への医療物質の塗布を容易にするようにした開口を備える、異種用途包帯。
【請求項６】
請求項５に記載の異種用途包帯において、前記医療物質は、生理食塩水、水、薬剤、またはその任意の組み合わせを含む、異種用途包帯。
【請求項７】
請求項６に記載の異種用途包帯において、前記薬剤は、鎮痛剤、抗炎症剤、抗生物質、防腐剤、またはその任意の組み合わせを含む、異種用途包帯。
【請求項８】
請求項１に記載の異種用途包帯において、前記内側層は、複数の縫着ポイントによって前記パッド部の残部に取り付ける、異種用途包帯。
【請求項９】
請求項８に記載の異種用途包帯において、前記縫着ポイントは、前記パッド部の縫い目近傍内側に延在する、異種用途包帯。
【請求項１０】
請求項１に記載の異種用途包帯において、前記内側層は、複数の接着ポイントによって前記パッド部の残部に取り付ける、異種用途包帯。
【請求項１１】
請求項１に記載の異種用途包帯において、前記少なくとも１つの吸収層は、不織材料で形成する、異種用途包帯。
【請求項１２】
請求項１に記載の異種用途包帯において、前記内側層は、プラスチックを有する、異種用途包帯。
【請求項１３】
請求項１に記載の異種用途包帯において、前記内側層は、シリコンを含む、異種用途包帯。
【請求項１４】
請求項１に記載の異種用途包帯において、前記パッド部は、さらに前記外側層と前記少なくとも１つの吸収層との間に血液分散バリア層を有する、異種用途包帯。
【請求項１５】
請求項１に記載の異種用途包帯において、前記パッド部は、さらに、前記少なくとも１つの吸収層と前記内側層との間に非粘着性層を有する、異種用途包帯。
【請求項１６】
請求項１に記載の異種用途包帯において、さらに、前記細長巻き付け部をロール状に巻回した状態または折り畳んだ状態で保持するようにする保持デバイスであって、使用者が前記細長巻き付け部の残りの部分を全体的に巻回ロールから繰り出すまたは折り畳みを展開することなく、前記細長巻き付け部を徐々に巻回ロールから繰り出すまたは折り畳みを展開することを可能にするよう構成した、該保持デバイスを備える異種用途包帯。
【国際調査報告】
2011526528.tif 000018